(57)【要約】無線通信装置１３ａとメッセージサービスを提供するコンピュータ１５との間で情報を伝える方法は、コンピュータ１５のためのアドレスを含むメッセージを無線通信装置１３ａから上記コンピュータ１５に対して送信するステップと、コンピュータ１５で通信を受信するステップとを含む。アドレスは、コンピュータを独自に識別するアクセスコード（ＡＣ）と固有識別コード（ＵＩＣ）とを組み合わせることにより形成され、上記固有識別コードは、（i）コンピュータ１５によって行なわれる所定の動作と、（ii）上記所定の動作の対象であるエンティティとを示す。アドレスの少なくとも１つの文字は、上記アクセスコード及び上記固有識別コードの両方に共通しており、上記アドレスは、上記少なくとも１つの共通の文字がアドレス内に統合されてアドレス文字列内の文字数が上記アクセスコード及び上記固有識別コードの文字の総数よりも少なくなるように配列される。
2006520555.tif 000002
【特許請求の範囲】
【請求項１】
無線通信装置とメッセージサービスを提供するコンピュータとの間で情報を伝える方法であって、
前記コンピュータのためのアドレスを含むメッセージを前記無線通信装置から前記コンピュータに対して送信するステップと、
前記コンピュータで通信を受信するステップと、
を含み、
前記アドレスが、前記コンピュータを独自に識別するアクセスコード（ＡＣ）と固有識別コード（ＵＩＣ）とを組み合わせることにより形成され、前記固有識別コードが、
（i）前記コンピュータによって行なわれる所定の動作と、
（ii）前記所定の動作の対象であるエンティティと、
を示し、
前記アドレスの少なくとも１つの文字が、前記アクセスコード及び前記固有識別コードの両方に共通しており、前記アドレスが、前記少なくとも１つの共通の文字がアドレス内に統合されてアドレス文字列内の文字数が前記アクセスコード及び前記固有識別コードの文字の総数よりも少なくなるように配列される方法。
【請求項２】
前記無線通信装置からメッセージサーバへメッセージを送信するステップを含み、前記ＡＣが、メッセージを前記コンピュータに送信するメッセージサーバに対して前記コンピュータを独自に識別する、請求項１に記載の方法。
【請求項３】
前記コンピュータがメッセージサーバであり、前記ＡＣが、前記メッセージサーバにより提供されるメッセージサービスを独自に識別し、前記ＵＩＮが、メッセージが送信されるべきクライアントを識別する、請求項１に記載の方法。
【請求項４】
前記アドレスが、アクセスコードと固有識別コードとが重なり合うアドレスの部分に２つの重なり合う文字組及び前記少なくとも１つの共通の文字が配置されるようにアクセスコードと固有識別コードとを組み合わせることにより形成される、先行する請求項のいずれか一項に記載の方法。
【請求項５】
無線通信装置とメッセージサービスを提供するコンピュータとを備え、前記コンピュータのためのアドレスを含むメッセージを前記無線通信装置が前記コンピュータに対して送信するようになっているシステムであって、このシステムが、前記コンピュータを独自に識別するアクセスコード（ＡＣ）と固有識別コード（ＵＩＣ）とを組み合わせることにより形成されるアドレスからメッセージを正確に方向付けるようになっており、前記固有識別コードが、
（i）前記コンピュータによって行なわれる所定の動作と、
（ii）前記所定の動作の対象であるエンティティと、
を示し、
前記アドレスの少なくとも１つの文字が、前記アクセスコード及び前記固有識別コードの両方に共通しており、前記アドレスが、前記少なくとも１つの共通の文字がアドレス内に統合されてアドレス文字列内の文字数が前記アクセスコード及び前記固有識別コードの文字の総数よりも少なくなるように配列されるシステム。
【請求項６】
メッセージサーバを備え、前記アクセスコードが、メッセージを前記コンピュータに送信するメッセージサーバに対して前記コンピュータを独自に識別する、請求項５に記載のシステム。
【請求項７】
前記コンピュータがメッセージサーバであり、前記ＡＣが、前記メッセージサーバにより提供されるメッセージサービスを独自に識別し、前記ＵＩCが、メッセージが送信されるべきクライアントを識別する、請求項５に記載のシステム。
【請求項８】
前記アドレスが、アクセスコードと固有識別コードとが重なり合うアドレスの部分に２つの重なり合う文字組及び前記少なくとも１つの共通の文字が配置されるようにアクセスコードと固有識別コードとを組み合わせることにより形成される、請求項５〜７のいずれか一項に記載のシステム。
【発明の詳細な説明】
【発明の詳細な説明】
【０００１】
本発明は、メッセージングシステムに関し、特に、メッセージングシステムによって提供されるサービス又はコンテンツのアクセス可能性を向上させる方法に関する。本発明は、ショートメッセージサービス（“ＳＭＳ”）ベースクライアントアプリケーション及び携帯電話等の移動体通信ネットワーク装置のためのグローバルシステム（“ＧＳＭ”）において特定の実用性を有しているが、これらに限定されない。
【０００２】
モバイル産業の急速な成長により、無線媒体によってアクセスできる多数の類似する情報、サービス、アプリケーションが生まれてきた。今日の課題は、それほど多くのよりよいコンテンツを提供することではなく、むしろ、このようなコンテンツ又はサービスのアクセス可能性を向上させることである。
【０００３】
明細書の全体にわたって、文脈が他を要求していない場合には、用語「備える（含む）」又は「備えている（含む）」といったその変形が、記載された構成（integer）又は構成群を含むことを示すが任意の他の構成又は構成群を排除することを示すものではないことは言うまでもない。
【０００４】
本出願人の従来の特許出願国際公開公報第０２／４７３２０号には、メッセージングシステムが開示されている。図２は、ＰＣベース及びＧＳＭ装置クライアントタイプがホストサーバに接続されたインスタントメッセージアプリケーションに適合する国際公開公報第０２／４７３２０号のメッセージングシステムを示す概略ブロック図である。図２は、ＧＳＭネットワークの一部であるクライアント１３ａとホストサーバ１５との間でメッセージを伝えるためのメッセージングシステム１１を示している。ＧＳＭネットワークは、ショートメッセージサービスセンタ（ＳＭＳＣ）２５を使用するそのクライアント同士の間でメッセージを伝えるためのＳＭＳ設備を有している。各無線クライアントは、ＧＳＭネットワーク内でクライアントを独自に識別するために、それに関連付けられたネットワーク識別番号（ＮＩＮ）を有している。各メッセージはメッセージパケット４３を含んでおり、メッセージパケット４３は、意図する受信者のアドレス４９と、メッセージの送信者のアドレス４７と、メッセージ自体５１とを含んでいる。ホストサーバ１５は、複数の異なるクライアントタイプ１３同士の間でメッセージを伝えるため、これらのクライアントタイプ１３に対しインターネット１９を介して選択的に接続されてもよい。各クライアントは、ホストサーバ１５に対してそれを独自に識別するため、それに関連付けられたクライアント識別番号（ＣＩＮ）を有している。ホストサーバ１５及びＳＭＳＣ２５は、インターネット１９又はこれらの間で通信を行なうための他のコンピュータネットワークにより互いに接続されている。ホストサーバ１５のクライアント１３のうちの１つは、無線クライアント１３ａであり、そのＮＩＮに対応するそのＣＩＮを有している。ホストサーバ１５は、ＳＭＳＣ２５に対してそれを独自に識別するためのアクセスコード（ＡＣ）と、（i）それによって行なわれる所定の動作及び（ii）所定の動作の対象であるエンティティに対して割り当てられた固有識別コード（ＵＩＮ）とを有している。特定の所定の動作及びエンティティと関連してホストサーバ１５と無線クライアント１３ａとの間でメッセージパケット４３の状態で送信されるメッセージは、
（i）ホストサーバ１５のアドレスとして特定の動作及びエンティティに対して割り当てられたＡＣとＵＩＮとの組み合わせと、
（ii）無線クライアントのアドレスとしてのＮＩＮと、
を含んでいる。
【０００５】
また、ＳＭＳＣ２５は、意図する受信者又は送信者のアドレスのＡＣを使用して、ホストサーバ１５に対して送信され或いはホストサーバ１５から受信されたメッセージを認識し、したがって、メッセージをルーティングする。
【０００６】
本発明は、ユーザ又はクライアントとホストサーバとの間でのメッセージの効率的で且つ便利な通信を提供するために開発された。この場合、ユーザのうちの一人と交換サーバとの間の媒体は、無線通信を含んでいる。
【０００７】
本発明の目的は、コンテンツ及び情報の送信、受信、検索を含む更に簡単なメッセージングを可能にし、取引及びサービスへのモバイル参加を可能にすることである。
【０００８】
本発明は、無線通信装置とメッセージサービスを提供するコンピュータとの間で情報を伝える方法であって、上記コンピュータのためのアドレスを含むメッセージを上記無線通信装置から上記コンピュータに対して送信するステップと、上記コンピュータで通信を受信するステップとを含み、上記アドレスは、上記コンピュータを独自に識別するアクセスコード（ＡＣ）と固有識別コード（ＵＩＣ）とを組み合わせることにより形成され、上記固有識別コードは、（i）上記コンピュータによって行なわれる所定の動作と、（ii）上記所定の動作の対象であるエンティティとを示し、上記アドレスの少なくとも１つの文字は、上記アクセスコード及び上記固有識別コードの両方に共通しており、上記アドレスは、上記少なくとも１つの共通の文字がアドレス内に統合されてアドレス文字列内の文字数が上記アクセスコード及び上記固有識別コードの文字の総数よりも少なくなるように配列される方法を提供する。
【０００９】
本発明の方法によれば、メッセージサービス又はネットワークサービスプロバイダによって提供される様々なサービスにアクセスする際に入力される明らかにより短いコードを無線通信装置のユーザに対して与えることができる。
【００１０】
本方法は、上記無線通信装置からメッセージサーバへメッセージを送信するステップを更に含んでいても良く、上記アクセスコードは、メッセージを上記コンピュータに送信するメッセージサーバに対して上記コンピュータを独自に識別してもよい。あるいは、上記コンピュータがメッセージサーバであり、上記アクセスコードは、上記メッセージサーバにより提供されるメッセージサービスを独自に識別し、上記ＵＩCは、メッセージが送信されるべきクライアントを識別する。
【００１１】
上記アドレスは、アクセスコードと固有識別コードとが重なり合うアドレスの部分に２つの重なり合う文字組及び上記少なくとも１つの共通の文字が配置されるようにアクセスコードと固有識別コードとを組み合わせることにより形成されてもよい。この実施形態は最も直感的に理解できるが、アクセスコードと固有識別コードとの組み合わされた全長と比較して短いアドレス長を与えつつ、他の方法でアドレスを配置することもできる。
【００１２】
また、本発明は、無線通信装置とメッセージサービスを提供するコンピュータとを備え、上記コンピュータのためのアドレスを含むメッセージを上記無線通信装置が上記コンピュータに対して送信するようになっているシステムであって、このシステムは、上記コンピュータを独自に識別するアクセスコード（ＡＣ）と固有識別コード（ＵＩＣ）とを組み合わせることにより形成されるアドレスからメッセージを正確に方向付けるようになっており、上記固有識別コードは、（i）上記コンピュータによって行なわれる所定の動作と、（ii）上記所定の動作の対象であるエンティティとを示し、上記アドレスの少なくとも１つの文字は、上記アクセスコード及び上記固有識別コードの両方に共通しており、上記アドレスは、上記少なくとも１つの共通の文字がアドレス内に統合されてアドレス文字列内の文字数が上記アクセスコード及び上記固有識別コードの文字の総数よりも少なくなるように配列されるシステムを提供する。
【００１３】
以下、添付図面を参照しながら、本発明を単なる一例として更に詳細に説明する。
【００１４】
図１は、本発明を使用できる典型的なメッセージングシステム１１を示している。このメッセージングシステムは、同じタイプ又は異なるタイプ１３ａ，１３ｂ，１３ｃ，１３ｄの複数のクライアント１３と、ホストサーバ１５とを備えている。ホストサーバ１５は、複数のゲートウェイサーバ１５ａ〜１５ｄと、ユーザ情報データベース１７とを備えている。ホストサーバ１５によりユーザに対して供給されるサービスに関連して矢印２１で示されるようにメッセージ及びコマンドを送受信するため、ゲートウェイサーバは、この実施例ではインターネット１９であるコンピュータネットワークを介して各クライアント１３に対して選択的に接続されている。
【００１５】
クライアント１３は、以下の機器の端末のいずれか或いは全てを使用して特定のサービスを利用したい場合には、インターネット１９を介してホストサーバ１５に選択的に接続される。
【００１６】
・ＧＳＭセルサイト２３及びＳＭＳＣサーバシステム２５を介して接続されるＧＳＭモバイルクライアント１３ａ。この場合、ＳＭＳメッセージ２７が携帯電話等のクライアントのＧＳＭ装置２９とＳＭＳＣサーバシステム２５との間で送信される。
【００１７】
・インターネットサービスプロバイダ（“ＩＳＰ”）３１を介して接続されるＰＣベースクライアント１３ｂ。この場合、メッセージパケット３３がクライアントのＰＣクライアントアプリケーションとＩＳＰ３１との間で通信される。
【００１８】
・ＩＳＰ３５を介したインターネットブラウザクライアント１３ｃ。この場合、ＨＴＭＬメッセージパケット３７がブラウザクライアント１３ｃとＩＳＰ３５との間で伝えられる。
【００１９】
・ＩＳＰ３７を介した電子メールクライアント１３ｄ。この場合、電子メールメッセージパケット３９が電子メールクライアント１３ｄとＩＳＰ３７との間で通信される。
【００２０】
クライアント識別番号（ＣＩＮ）は、各クライアントをホストサーバ１５に対して独自に識別する。この識別番号は、クライアントの実際のアドレスにマッピング（変換）されるとともに、ホストサーバのユーザ情報データベース１７内に記憶される。
【００２１】
また、無線通信ネットワークの一部であるＧＳＭモバイルクライアント１３ａ等の無線クライアントはネットワーク識別番号も有しており、これにより、無線クライアントが無線通信ネットワークに対して独自に識別される。この場合、上記無線通信ネットワークは、モバイルクライアント１３ａが属しているＧＳＭネットワークである。このネットワーク識別番号は、ＧＳＭネットワーク内に記憶されるとともに、モバイルクライアントによって送信されるＳＭＳメッセージの対象となる受信者と、このようなメッセージをＳＭＳＣサーバシステムに対して送信する送信者のアドレスとを識別してメッセージ送信を行なうために、モバイルクライアントによって使用される。本実施形態において、ネットワーク識別番号は、単に、モバイルクライアント１３ａのＧＳＭ装置のＧＳＭ電話番号である。
【００２２】
ＳＭＳＣサーバシステム２５は、その無線クライアント加入者（受信契約者）同士の間での全てのＳＭＳメッセージの送信を制御して管理する。ＳＭＳＣサーバシステム２５はデータベースを有しており、このデータベース内には、送信時点でセルラーネットワークに対して接続されてもされなくてもよい、又は利用可能であってもなくてもよい対象の受信者に対して無線クライアント加入者により送信されるＳＭＳメッセージパケット２７と共に、全てのＳＭＳ加入者のネットワーク識別番号が記憶されている。これらのメッセージパケットは、その後、対象の受信者のＧＳＭ装置がＯＮに切り換えられ且つ当該装置がセルサイト内でメッセージを受信するように接続され或いは利用可能となった際に、対象の受信者のために自動的にダウンロードされる。
【００２３】
前述したように、ホストサーバ１５は、インターネット１９を介してＳＭＳＣサーバシステム２５に対して直接に接続される（あるいは、ＳＭＳＣサーバシステムは、ダイレクト電子通信リンクによって接続されてもよい）。このようにすれば、メッセージ又はショートメッセージを、ダイレクト電子ライン又はデータラインを介してインターネットによりホストサーバ１５からＳＭＳＣサーバシステム２５へと送信することができ、その後、ＧＳＭネットワークによりＳＭＳの加入者に対して配信することができる。ショートメッセージは、ＧＳＭネットワークのメッセージプロトコルを使用して、ホストサーバ１５とＳＭＳＣサーバシステム２５との間で送受信される。一実施形態において、使用される特定のプロトコルは、Ｎｏｋｉａ（ノキア）（ＲＴＭ）やＥｒｉｃｓｓｏｎ（エリクソン）（ＲＴＭ）等のＧＳＭ携帯電話・ネットワーク製造会社によって採用されるシステムであるＣＩＭＤ２である。しかしながら、このシステムは、ショートメッセージピアツーピアプロトコル（“ＳＭＰＰ”）等の他のプロトコルをサポートすることができる。
【００２４】
例示的なメッセージングシステムにおいて、ホストサーバ１５は、無線クライアントのネットワーク識別番号をメッセージングシステムのクライアント識別番号となるように割り当てる。このようにして、ホストサーバ１５は、無線クライアントの識別及びアドレス指定においてＳＭＳＣサーバシステム２５に適合し、ＳＭＳＣサーバシステムを介したホストサーバと無線クライアントとの間のメッセージ送信を容易にする。しかしながら、この特徴は、本発明の本質的特徴ではない。
【００２５】
また、アクセスコードは、それをＳＭＳＣサーバシステム２５に対して独自に識別するため、ホストサーバ１５にも割り当てられる。アクセスコードは、無線クライアント１３ａとホストサーバ１５との間で送信されるメッセージにおいて使用され、これにより、ＳＭＳＣシステムサーバ２５は、ホストサーバ１５に対して送信されるようになっている無線クライアントからのＳＭＳメッセージと、ＳＭＳＣサーバシステムによって供給されるＳＭＳメッセージサービスに関連付けられ且つホストサーバに対して送信されるようになっていないＳＭＳＣサーバシステムにより処理される他のＳＭＳメッセージとを区別することができる。
【００２６】
アクセスコードは、ＳＭＳＣサーバシステム２５の観点から、ホストサーバ１５のアドレスを効果的に構成する。本実施形態において、ＳＭＳＣサーバシステム２５は、特に、無線クライアントによりＧＳＭネットワークを通じて送信されるＳＭＳメッセージの意図する受信者の対象のアドレス又はＧＳＭ電話番号を表わすネットワーク識別番号の最初の幾つかの数字から、アクセスコードをデコードするように構成されている。ＳＭＳＣサーバシステム２５には、アクセスコードがネットワーク識別番号からデコードされるとＳＭＳＣサーバシステム２５によって受信される任意のメッセージを本実施形態ではインターネットを介してホストサーバへと方向付けるための適したルーティングソフトウェアが設けられている。
【００２７】
固有識別番号（“ＵＩＮ”）は、ホストサーバ１５によりそのクライアントのために提供される様々なサービスに対して割り当てられる。ＵＩＮは、（ａ）ホストサーバによりそのクライアントのために実行される所定の動作、及び、（ｂ）上記所定の動作の対象であるエンティティを示している。
【００２８】
ホストサーバ１５によって行なわれる所定の動作の例としては、電子掲示板へのアクセスに関連するホストサーバ上のルーチンを呼び出すこと、商取引への参加に関連するホストサーバ上のルーチンを呼び出すこと、個人的サービスに関連するホストサーバ上のルーチンを呼び出すこと、チャットルームに関連するホストサーバ上のルーチンを呼び出すこと、以下においてインスタントメッセージアプリケーションと称する、メッセージパケットで特定されたホストサーバの他のクライアント又はクライアント群に対する直接的なメッセージの送信に関連するホストサーバ上のルーチンを呼び出すこと、を挙げることができる。
【００２９】
上記所定の動作の対象であってもよいエンティティとしてはそれぞれ、掲示板が関与する主題又はトピック、商取引の対象である商品又はサービス、特定のタイプの個人的サービス、チャットルームの特定の主題又はトピック、メッセージの受信に関与する特定のクライアント又はクライアント群、を挙げることができる。
【００３０】
したがって、異なる所定の動作及び当該所定の動作に関与する異なるエンティティに関して異なるＵＩＮが割り当てられる。
【００３１】
国際公開公報第０２／４７３２０号に記載されるような典型的なメッセージングシステムにおいては、無線クライアントの場合、メッセージが関与するエンティティ及び所定の動作のＵＩＮがホストサーバのアクセスコードと組み合わされ、これにより、ホストサーバ１５のアドレスが構成される。また、ＧＳＭネットワークが関与している限り、アクセスコードとＵＩＮとのこの組み合わせは、ホストサーバにおけるネットワーク識別番号であり、無線クライアントによりホストサーバに対して送信されるようになっているＳＭＳメッセージ中の有効ＧＳＭ番号又は意図する受信者のアドレスとして使用される。同様に、上記組み合わせは、ホストサーバにより無線クライアントに対して提供される任意のサービスに関連してホストサーバにより無線クライアントに対して送信される任意のメッセージのための送信者のアドレスとして使用される。
【００３２】
ここで、図２〜図４を参照しながら、インスタントメッセージアプリケーションについて説明する。インスタントメッセージ機能がホストサーバ１５によって実行されなければならないことを、クライアントから受信されたメッセージパケット中のＵＩＮが示している場合、ホストサーバ１５は、ユーザの代わりに、以下の基本的動作、すなわち、（i）インスタントメッセージを送信すること、（ii）インスタントメッセージを受信すること、（iii）「オンライン」にいるユーザすなわちインターネットに接続され或いはその特定の瞬間に又はその瞬間の前後にインスタントメッセージ権によってアクセス可能なユーザを検出すること、を実行する。また、インスタントメッセージ（ＩＭ）のシナリオにおいては、ユーザを「バディ」と称する。
【００３３】
ホストサーバ１５は、ホストサーバにアクセスするクライアントによって前述した任意の基本的動作を行なうようにトリガされ或いは指示される場合には、このような基本的動作を行なうように具体的にプログラミングされる。このようなトリガは、ホストサーバに対して送信されたメッセージパケット中の電子プロンプト又はコマンドをクライアントが送信する際に生じる。例えば、ＧＳＭ装置は、ＳＭＳメッセージをホストサーバに対して送信することによりこれを行ない、電子メールクライアントは、電子メールをホストサーバに対して送信することによりこれを行ない、また、ブラウザクライアントは、ウェブを介して命令又はコマンドをホストサーバに対して送信することによりこれを行ない、ＰＣベースアプリケーションは、電子通信リンク又はインターネットリンクを介してコマンドをホストサーバに対して送信することによりこれを行なう。
【００３４】
誰がネットワークに接続されているか（ｗｈｏ  ｉｓ  ｏｎｌｉｎｅ）に関する通知又は実際のメッセージ等の配信された情報のフォーマットは、必然的に機器のタイプによって決まる。例えば、ＧＳＭ装置では、フォーマットがＳＭＳフォーマットであり、電子メールでは、フォーマットが電子メール形式である。また、ブラウザクライアントでは、フォーマットがハイパーテキストマークアップ言語（“ＨＴＭＬ”）形式である。
【００３５】
本発明は主に無線クライアントに関する用途に関与しているため、インスタントメッセージに関するホストサーバ１５及びクライアント１３の基本的な機能については、それがＧＳＭクライアントに対してどのように作用するかといった点に関して説明する。図面の図２に示されるように基本的な機能がＰＣベ−スクライアントにおいてどのように作用するかについての説明は、国際公開公報第０２／４７３２０号を参照されたい。他のクライアントタイプに関して基本的な機能がどのように作用するかについての説明は、本出願人の同時係属の国際出願ＰＣＴ／ＳＧ００／０００６８を参照されたい。
【００３６】
ＧＳＭベースクライアントにおいては、携帯電話等のＧＳＭ装置６１が端末又は機器であり、この装置のユーザは、セルラーネットワークを形成するように配置されたＧＳＭセルラーサイト６３を通じて加入者間の遠隔通信が無線で送信されるＧＳＭネットワークに対する加入者として装置を操作する。
【００３７】
ＧＳＭネットワークを通じた加入者間のＳＭＳメッセージはメッセージパケット６５を含んでおり、メッセージパケット６５は、送信者のネットワーク識別番号（ＮＩＮ）（送信者のＧＳＭ携帯電話番号）６７と、対象の受信者のＮＩＮ（一般に、受信者のＧＳＭ携帯電話番号）６９と、メッセージを処理するＳＭＳＣサーバシステム２５のＧＳＭ携帯電話番号７１と、１６０文字程度のメッセージ７３とを含んでいる。
【００３８】
ＧＳＭモバイル装置６１からメッセージングシステム１１の他のユーザへのメッセージの送信は、ＳＭＳメッセージ７３をＧＳＭ装置内に入力するとともに、“Ｔｏ”アドレス６９内の対象の受信者のＮＩＮを指定することによって達成される。実際のエントリステップは、ＧＳＭ装置製造会社に固有のものである。
【００３９】
重要なことには、受信者のＮＩＮアドレスは、数値アクセスコード（ＧＳＭキャリアによって規定される）と対象の受信者のＣＩＮとの組み合わせである。前述したように、アクセスコードは、ＧＳＭキャリアに固有のものであり、ＳＭＳをホストサーバ１５に対して送らなければならないことをＳＭＳＣサーバシステム２５に対して指示するために使用される。
【００４０】
ＧＳＭ装置６１は、典型的なＳＭＳメッセージをＧＳＭネットワークのＳＭＳＣサーバシステム２５から受信すると同時に、メッセージングシステム１１を介してインスタントメッセージを受信する。ホストサーバ１５からＧＳＭクライアントにより受信されたインスタントメッセージは、アクセスコードとユーザのＣＩＮとの組み合わせを含む“Ｆｒｏｍ”又は“Ｒｅｐｌｙ  Ｔｏ”アドレス６７におけるＣＩＮを示している。
【００４１】
なお、インスタントメッセージアプリケーションにおける受信者のＣＩＮは、実際には、適切なエンティティを用いた必要な所定の動作、この場合には指示された受信者に対してメッセージパケットをインスタントメッセージとして送信する動作を決定するためにホストサーバによってデコードされるＵＩＮを構成する。
【００４２】
ＩＭサーバアプリケーション５３は、オンラインバディ情報を含むＳＭＳメッセージによりバディオンライン通知をＧＳＭクライアントに対して与えるように形成されている。ＩＭサーバアプリケーション５３は、ＧＳＭクライアントによるトリガ時に、これらのメッセージをＧＳＭクライアント６１に対して送信する。このようなメッセージのためのトリガは、ユーザの仕様に応じて、自動的に行なわれても良く、あるいは、手動で行なわれてもよい。
【００４３】
図２に示されるように、手動トリガは、所定のＳＭＳコマンドを指定するＵＩＮを含むＳＭＳメッセージ７５をホストサーバ１５に対して送信するＧＳＭ装置６１のユーザによって行なわれる。例えば、このＳＭＳメッセージ７５におけるメッセージパケットは、“Ｔｏ”アドレス７７内のＮＩＮとしての所定の“ｗｈｏ  ｉｓ  ｏｎｌｉｎｅコマンド”におけるＵＩＮと組み合わされるホストサーバ１５のアクセスコードを含んでいる。ホストサーバ１５には処理手段が設けられており、これにより、ホストサーバ１５は、“ｗｈｏ  ｉｓ  ｏｎｌｉｎｅコマンド”を含むこのＳＭＳメッセージをＳＭＳＣサーバシステム２５から受信すると、ＵＩＮをデコードして、それがインスタントメッセージアプリケーションであることを決定した後、ＩＭサーバアプリケーション５３を呼び出して所定の動作に注意を払うようになっている。手動トリガの本事例において、これは、ネットワークに接続されている送信者のバディのＣＩＮ及び入力される場合には当該バディの仮名を知らせ或いは挙げるメッセージの送信者に対してＳＭＳメッセージ又は一連のＳＭＳメッセージ８１を送り戻すことを含んでいる。あるいは、このＳＭＳメッセージ８１におけるメッセージパケットは、特定のＧＳＭクライアントユーザのＣＩＮ８３と自分がネットワークに接続されていることを示すメッセージ８５又は他のメッセージとを含んでいてもよい。
【００４４】
自動トリガの場合、ＩＭサーバアプリケーション５３は、特定のユーザ又はユーザ群（バディ）がオンラインにある（ネットワークに接続されている）或いはオンラインにない特定のＧＳＭクライアントに対し、上記ユーザのオンラインの存在又はオンラインの変化をＩＭサーバアプリケーションが検出する際に、ＳＭＳ通知を送信するように構成されている。したがって、自動トリガでは、ＧＳＭユーザによって必要とされるプロンプティングが無い。
【００４５】
前述したインスタントメッセージアプリケーションは、１つのＣＩＮ／ＵＩＮを使用してユーザをそのクライアントタイプに関係なく識別するとともに、二つとないそのＵＩＮを、ホストサーバによって処理できるユーザの全てのクライアントタイプに対してマッチングさせるという原理に基づいて機能する。したがって、ＩＭサーバアプリケーション５３により、ユーザは、以下の任意のクライアントタイプ、すなわち、ＰＣベースクライアント、ＧＳＭクライアント、インターネット−ブラウザクライアント、電子メールクライアントを用いてそのアカウントにアクセスすることができる。
【００４６】
クライアントタイプとは関係なく、ＩＭサーバアプリケーション５３は、ユーザを認識することができ、したがって、ユーザをその特定のＣＩＮ／ＵＩＮに対してマッチングすることができる。その後、ユーザは、例えば、メッセージを送信し、メッセージに応答し、メッセージを受信し、誰がネットワークに接続されているかをチェックする等といったＩＭシステムの基本的な機能、あるいは、他の基本的なＩＭ機能にアクセスすることができる。
【００４７】
ここで、図３及び図４を参照しながら、ＧＳＭ装置クライアントタイプに関し、ＩＭサーバアプリケーション５３による機器及びユーザに対するＣＩＮ／ＵＩＮのこのようなマッチング方法について説明する。他のクライアントタイプに関してこれが行なわれる方法については、本出願人の同時係属の国際出願ＰＣＴ／ＳＧ００／００６８に記載されている。
【００４８】
ＧＳＭ装置８５によって与えられるＧＳＭクライアントアプリケーションに関し、実際には複数のゲートウェイサーバ１５ａ〜１５ｅの下で実行されるＩＭサーバアプリケーション５３は、インターネット１９を介してＳＭＳＣサーバシステム２５に対して接続されている。また、ＳＭＳＣサーバシステム２５は、様々なＧＳＭセルラーサイト８７と無線で通信を行なって、携帯型のユーザのＧＳＭ装置８５との通信を確立する。
【００４９】
図３に示されるように、インスタントメッセージがＧＳＭ装置８５からホストサーバ１５へと送信される場合、ＳＭＳＣサーバシステム２５は、最初に、ＧＳＭ装置８５からメッセージパケット８９を受信するとともに、“Ｔｏ”アドレスフィールド９１の受信者のアドレスのアクセスコードをデコードする際に、インターネット１９を介してホストサーバ１５に対しメッセージパケットを送信する。前述したように、ＧＳＭクライアントユーザは、アクセスコード（ＧＳＭキャリアによって規定される）を受信者のＣＩＮに添付することにより形成されるアドレスと共に、そのローカルＳＭＳを使用することによりホストサーバのクライアントに対してメッセージパケット８９のメッセージを送信することができる。ホストサーバからユーザのＧＳＭ装置に対して送り戻されるＳＭＳメッセージにより、バディオンラインの通知も行なわれる。
【００５０】
メッセージパケット８９を受信するホストサーバ１５は、その後、矢印９３で示されるように、その処理手段を使用して、この場合は“Ｆｒｏｍ”アドレスフィールド９５のユーザのＧＳＭ携帯電話番号であるユーザの（固有の）ＣＩＮを、ユーザ情報データベース１７におけるホストサーバの登録ユーザの記憶されたＣＩＮに対してマッチングさせることにより、メッセージパケットの送信者のＣＩＮを確認した後、“Ｔｏ”アドレスフィールド９１から引き出されたＵＩＮを処理して、特定のエンティティを用いて所定の動作を行なうために必要なルーチン、この場合はインスタントメッセージアプリケーションを呼び出す。本実施形態のホストサーバは、ユーザが最初に自分のＧＳＭ装置を使用して登録する際に、（国コード）＋（エリアコード又はＧＳＭキャリアコード）＋（携帯電話番号）を使用して、ＧＳＭユーザのＣＩＮを形成する。
【００５１】
このように、全てのＳＭＳメッセージパケットが“Ｆｒｏｍ”アドレスフィールド９５の送信者のＧＳＭ携帯電話番号を含んでいるため、マッチングは簡単である。
【００５２】
インスタントメッセージアプリケーションを呼び出す際、ＩＭサーバアプリケーション５３は、ユーザ情報データベース１７にアクセスすることにより、“Ｔｏ”アドレスフィールド９１から引き出されたＵＩＮに特定されたメッセージの対象受信者のユーザ状態を決定する。また、ＩＭサーバアプリケーション５３は、ユーザ情報データベースに記憶された受信者におけるユーザ設定に基づいて対象の受信者のためにアクセスされてもよいクライアントタイプを定め、受信者の選択されたクライアント装置に対するメッセージの適切なルーティングを確保する。これは、基本的に、メッセージによって扱われるべきユーザの特定のクライアントタイプの適切なフォーマットで受信者のＣＩＮを適合させることを含んでいる。ＰＣベースクライアントアプリケーション及びブラウザベースクライアントアプリケーションの場合、これは単にＵＩＮ自体である。ＧＳＭアプリケーションの場合、これは、実際には、いずれにしてもこの実施例ではＵＩＮである対象受信者の電話番号である。電子メールベースクライアントの場合、これは、単に、対象受信者の電子メールアドレスである。電子メールアドレスが英数字であるため、実際には、アドレスは、数字アドレスにマッピング（変換）される。
【００５３】
対象受信者におけるクライアントタイプがＧＳＭ装置である場合、図４に示されるように、メッセージパケット９７は、ＳＭＳメッセージとしてＳＭＳＣサーバシステム２５に対してルーティングし且つＳＭＳＣサーバシステム２５によりルーティングするためのメッセージパケット９７のアドレスフィールドを正確にフォーマットすることによって、ＩＭサーバアプリケーション５３により処理される。このフォーマットは、メッセージパケット９７の“Ｔｏ”アドレスフィールド９９からアクセスコードを剥ぎ取るとともに、そのアクセスコードを“Ｆｒｏｍ”アドレスフィールド１０１に示された送信者のＣＩＮの最初の部分に加えることを含んでいる。
【００５４】
その後、メッセージパケットは、矢印１０３によって示されるように、インターネット１９を介して、ＧＳＭネットワークのＳＭＳＣサーバシステム２５に対して直接に送信される。ＧＳＭクライアントユーザは、最終的に、ＧＳＭネットワークがユーザの特定のＧＳＭ装置１０５の利用可能性を検出してメッセージをＧＳＭセルラーサイト１０７のうちの１つを介して受信すると、ＧＳＭネットワークのＳＭＳ下でメッセージパケット９７を受信する。
【００５５】
図３及び図４に示される特定の実施例において、メッセージを送信するユーザはＣＩＮ‘６３９１８９３３６６４７’を有し、メッセージを受信するユーザはＣＩＮ‘６３９１８５５５６６６６’を有している。しかしながら、ＧＳＭクライアントは、対象のＧＳＭ受信者がメッセージに対して単純に「応答する」ことによりメッセージに対して応答しなければならない場合、すなわち、送信者のＮＩＮが“ｓｅｎｔ  ｔｏ”数値アドレスに自動的に入力される場合には、ＧＳＭネットワークを通じてダイアルするため対象の受信者のＣＩＮを開始するために、ＳＭＳＣサーバシステム２５によりホストサーバに対して割り当てられるアクセスコード、この実施例では‘３７３’を、対象の受信者のＣＩＮの最初の部分に添える必要がある。
【００５６】
なお、全ての場合において、ユーザのＣＩＮは、それらに対してアドレス指定され或いはそれらから始まるインスタントメッセージアドレスを扱う目的で、ユーザの基本識別子である。各機器における固有識別子に対するこのＵＩＮの１対１マッチングは、ＩＭシステムのシングルアカウントシステム（単式会計法）における基盤を形成する。
【００５７】
ＣＩＮ等の数字を使用する主な理由は速度である。これは、特に、ＧＳＭ装置を用いたインスタントメッセージの高速送信を行なう際に有用である。ＧＳＭ装置ユーザによって受信されたＩＭメッセージに応答するため、送信者が行なうべきことは、応答ボタンをクリックすることだけである。これにより、送信者のＣＩＮが自動的にＧＳＭ装置の“ｒｅｐｌｙ  ｔｏ”アドレスに入力される。実施形態においては、使用される全てのコードが数字であるが、１又は複数の任意の番号を英数字コードによって置き換えることもできる。
【００５８】
また、ＧＳＭ装置ユーザによる当初のメッセージも同様に簡単である高速である。ユーザがするべきことは、ＧＳＭキャリアのアクセスコードに添えられた意図する受信者のＣＩＮを“ｓｅｎｔ  ｔｏ”アドレスに入力することだけである。アクセスコード−ＣＩＮのこの組み合わせは、実際には、殆どのＧＳＭ装置のアドレス帳に記憶することができ、これにより、アドレスの高速呼び戻し及びメッセージの送信が容易になる。
【００５９】
また、本出願人の従来の国際公開公報第０２／４７３２０号は、詳細には、いわゆる電子商取引やオンラインオークション等の商取引及び電子掲示板を含むメッセージングシステムの他の用途も開示している。本発明は、インターネット等のコンピュータネットワークに接続された無線遠距離通信装置を使用して、これらの全ての用途及び他の用途で使用されてもよい。
【００６０】
本出願人の従来の国際公開公報第０２／４７３２０号は、詳細には、アクセスコード（ＡＣ）と固有識別番号（ＵＩＮ）とを組み合わせることができる能力について記載している。メッセージサービスサーバに対してホストサーバを識別するため、ＡＣは固有のものである。ＵＩＮは、ホストサーバによって行なわれる所定の動作と、所定の動作の対象であるエンティティとに対して割り当てられる。
【００６１】
ここで、図１を参照しながら、携帯電話等の無線通信装置を有するクライアントに対してホストコンピュータにより提供される銀行サービスに関連して、本発明の一実施形態について説明する。本実施形態において、番号８８８はＡＣであり、番号８８７６５４はＵＩＮである。
【００６２】
前述した本出願人の従来の国際公開公報第０２／４７３２０号のメッセージングシステムにおいては、任意の従来の取引又はプロセスに関係なくＡＣ−ＵＩＮ組み合わせと直接に取り引きすることはできない。８８８が銀行のホストサーバに割り当てられたＡＣであり且つ８８７６５４がＪｏｈｎ  Ｄｏｅの口座番号である銀行取引を一例として我々が利用しなければならない場合、考えられる従来のシステムは、「あなたの経常収支にアクセスするために、８８８に続くあなたの口座番号に対してワードＢＡＬＡＮＣＥを送信してください。例えば（Ｊｏｈｎ  Ｄｏｅの場合のように）８８８８８７６５４に対してＢＡＬＡＮＣＥを送信してください」といった銀行クライアントに対して与えられる命令を有していてもよい。また、従来の公報が詳述する動的なインデックス又は添え字プロセスを考えると、Ｊｏｈｎ  Ｄｏｅの全ての取引を８８８８８７６５４に集中しなければならない。Ｊｏｈｎ  Ｄｏｅが受信する応答は、要求される取引に関係なく、８８８８８７６５４によってもたらされる。
【００６３】
本発明においては、方法及びシステムにより、任意の従来の取引又はプロセスに関係なくＡＣ−ＵＩＮ組み合わせと直接に取引することができる。この場合、ＡＣ及びＵＩＮの少なくとも１つの英数字エントリを組み合わせて１として処理することにより、アドレスを短くできるとともに、情報を要求し或いは取引に参加する際の命令を更に簡略化することができる。
【００６４】
８８８が銀行のホストサーバに割り当てられたＡＣであり且つ８８７６５４がＪｏｈｎ  Ｄｏｅの口座番号である銀行取引を一例として我々が利用しなければならない場合、一実施形態において、銀行クライアントに対して与えられる命令は、「あなたの経常収支にアクセスするために、８に続くあなたの口座番号に対してワードＢＡＬＡＮＣＥを送信してください。例えば（Ｊｏｈｎ  Ｄｏｅの場合のように）８８８７６５４に対してＢＡＬＡＮＣＥを送信してください」である。前述した実施例における組み合わせは、ＡＣ及び８８の最後の２つの数字の重なりにおいて見られ、ＵＩＮの最初の２つの数字も８８である。このようなプロセスにおける利点は明らかである。なぜなら、これによって取引手段を簡略化でき、そのため、８８８＋口座番号に対して要求を送信するようにクライアントに命じる必要がなくなるからである。その代わり、クライアントは、８＋口座番号に対して要求を送信するように命じられる。
【００６５】
現在のＧＳＭ規格は、１桁のアクセスコード（ＡＣ）を許容しない。しかしながら、これは技術的に可能である。１桁の番号が公然と発表されれば、割り当てられる１つの数字から始まる数字の全範囲が同様にカバーされなければならない。これにより、全世界のＧＳＭオペレータに利用可能なアクセスコード数が制限される。以上を考えると、ＡＣとＵＩＮとを重ね合わせるプロセスは、エンドユーザに対して幻想を形成する。エンドユーザの観点から、取引又はサービスは短いＡＣによりアクセスされる。
【００６６】
この発明が機能するために必要な技術的プロセス及びサーバプロセスの他、従来の国際公開公報第０２／４７３２０号で言及されているように、本実施形態においてはＡＣの最後及びＵＩＮの初めに、同じでなければならない少なくとも１つの英数文字が存在する。銀行取引を参照すると、銀行のホストサーバに対しＡＣとして７７７が割り当てられ且つＪｏｈｎ  Ｄｏｅの口座番号として８８７６５４が割り当てられる場合には、重なり合いが無いことは明らかである。したがって、命令は、「あなたの経常収支にアクセスするために、７７７に続くあなたの口座番号に対してワードＢＡＬＡＮＣＥを送信してください。例えば（Ｊｏｈｎ  Ｄｏｅの場合のように）７７７８８７６５４に対してＢＡＬＡＮＣＥを送信してください」となる。銀行は、そのサービスを向上させるため、モバイル銀行サービスを向上させることを唯一の目的として、その全ての顧客に対し、各口座番号の初めに７７を加えることにより、新たな口座番号を容易に割り当てることができる。７７を加えることにより、Ｊｏｈｎ  Ｄｏｅの新たな口座番号は７７８８７６５４となり、彼の銀行口座にアクセスするための命令は、「あなたの経常収支にアクセスするために、７に続くあなたの口座番号に対してワードＢＡＬＡＮＣＥを送信してください。例えば（Ｊｏｈｎ  Ｄｏｅの場合のように）７７７８８７６５４に対してＢＡＬＡＮＣＥを送信してください」となる。銀行は、そのサービスを向上させるため、モバイル銀行サービスを向上させることを唯一の目的として、その全ての顧客に対し、各口座番号の初めに７を加えることにより、新たな口座番号を容易に割り当てることができる。７を加えることにより、Ｊｏｈｎ  Ｄｏｅの新たな口座番号は７８８７６５４となり、彼の銀行口座にアクセスするための命令は、「あなたの経常収支にアクセスするために、７７に続くあなたの口座番号に対してワードＢＡＬＡＮＣＥを送信してください。例えば（Ｊｏｈｎ  Ｄｏｅの場合のように）７７７８８７６５４に対してＢＡＬＡＮＣＥを送信してください」となる。
【００６７】
したがって、本発明は、主に、任意の従来の取引又はプロセスに関係なくＡＣ−ＵＩＮ組み合わせと直接に取引することができるというものである。この場合、ＡＣ及びＵＩＮの少なくとも１つの英数字エントリを組み合わせて１として処理することにより、アドレスを短くでき、あるいは、情報を要求し或いは取引に参加する際の命令を更に簡略化することができる。また、これにより、ＡＣ−ＵＩＮ組み合わせからＵＩＮを識別することができるため、積極的な応答を主要なアプリケーションから引き出すことができる。技術的なプロセスは、従来の国際公開公報第０２／４７３２０号に記載されているプロセスに類似しており、少なくとも１つの英数字エントリ、好ましくはＡＣの最初のエントリを無視することにより或いはＡＣを識別してＵＩＮの好ましく最初に少なくとも１つの英数字エントリを添えることによりＡＣ−ＵＩＮ組み合わせの重なり合いからＵＩＮを識別し、そのうちの積極的に受け入れられるものをマッチングさせる能力が高い（図１参照）。
【００６８】
一実施形態においては、単純な個人対個人のメッセージングシステム（パーソン・ツー・パーソンメッセージングシステム）において更に高度なメッセージング技術を使用することができる。パーソン・ツー・パーソンメッセージングシステムによれば、人は、対象の受信者の携帯電話番号の前に１つの番号を加えることにより、無料でメッセージを送信することができる。この場合、全てのＵＩＮは、人（受信者）の携帯電話番号、例えば６３９１７９８７６５４３であり、一方、ＡＣは数字６３を含んでおり、例えばＡＣは４６３である。エンドユーザに対して与えられる命令は、「無料でＳＭＳを送信するため、あなたのメッセージをタイプした後、４に続くあなたの友達の番号を送信してください。例えばＨＥＬＬＯをタイプした後、４６３９１７９８７６５４３を送信してください」となる。
【００６９】
図面及び実施例を参照しながら本発明の実施形態について説明してきた。しかしながら、添付の請求項によって規定される本発明の範囲に入る変形を成すことができる。
【図面の簡単な説明】
【００７０】
【図１】様々なクライアントタイプがホストサーバに接続されたメッセージングシステムの一般的な構成を示す概略ブロック図である。
【図２】ＰＣベース及びＧＳＭ装置タイプクライアントがホストサーバに接続されたインスタントメッセージアプリケーションに適合するメッセージングシステムにおける概略ブロック図である。
【図３】ＧＳＭ装置クライアントタイプからホストサーバに対してメッセージが送信される方法を示す概略ブロック図である。
【図４】ホストサーバからＧＳＭ装置クライアントタイプによってメッセージが受信される方法を示す概略ブロック図である。
【図５】本発明に係るアプリケーションの概略ブロック図である。
【図１】
2006520555.tif 000003
【図２】
2006520555.tif 000004
【図３】
2006520555.tif 000005
【図４】
2006520555.tif 000006
【図５】
2006520555.tif 000007
【手続補正書】
【提出日】平成16年12月13日(2004.12.13)
【手続補正１】
【補正対象書類名】特許請求の範囲
【補正対象項目名】全文
【補正方法】変更
【補正の内容】
【特許請求の範囲】
【請求項１】
無線通信装置とメッセージサービスを提供するコンピュータとの間で情報を伝える方法であって、
前記コンピュータを独自に識別するアクセスコード（ＡＣ）と固有識別コード（ＵＩＣ）とを組み合わせることにより前記コンピュータのためのアドレスを形成するステップであって、前記固有識別コードが、
（i）前記コンピュータによって行なわれる所定の動作と、
（ii）前記所定の動作の対象であるエンティティと、
を示し、前記アドレスの少なくとも１つの文字が前記ＡＣ及び前記ＵＩＣの両方に共通しているステップと、
前記少なくとも１つの共通の文字がアドレス内に統合されてアドレス内の文字数が前記ＡＣ及び前記ＵＩＣの文字の総数よりも少なくなるように前記アドレスを配列するステップと、
前記コンピュータのためのアドレスを含むメッセージを前記無線通信装置から前記コンピュータに対して送信するステップと、
前記コンピュータで通信を受信するステップと、
を含む方法。
【請求項２】
前記無線通信装置からメッセージコンピュータへメッセージを送信するステップを更に含み、前記ＡＣは、メッセージを前記コンピュータに送信するメッセージコンピュータに対して前記コンピュータを独自に識別する、請求項１に記載の方法。
【請求項３】
前記コンピュータがメッセージコンピュータであり、
前記ＡＣを参照することにより、前記メッセージコンピュータによって提供されるメッセージサービスを独自に識別するステップと、
前記ＵＩＣを参照することにより、メッセージが送信されるべきクライアントを識別するステップと、
を更に含む、請求項１に記載の方法。
【請求項４】
前記アドレスを形成する前記ステップは、前記２つのコードが重なり合うアドレスの部分に前記少なくとも１つの共通の文字を位置させるサブステップを含む、先行する請求項のいずれか一項に記載の方法。
【請求項５】
無線通信装置と、
メッセージサービスを提供するコンピュータと、
を備え、
前記コンピュータのためのアドレスを含むメッセージを前記無線通信装置が前記コンピュータに対して送信するようになっている、情報を伝えるシステムであって、このシステムは、前記コンピュータを独自に識別するアクセスコード（ＡＣ）と固有識別コード（ＵＩＣ）とを組み合わせることにより形成されるアドレスを参照することによってメッセージを正確に方向付けるようになっており、前記固有識別コードは、
（i）前記コンピュータによって行なわれる所定の動作と、
（ii）前記所定の動作の対象であるエンティティと、
を示し、
前記アドレスの少なくとも１つの文字は、前記ＡＣ及び前記ＵＩＣの両方に共通しており、前記アドレスは、前記少なくとも１つの共通の文字がアドレス内に統合されてアドレス文字列内の文字数が前記ＡＣ及び前記ＵＩＣの文字の総数よりも少なくなるように配列されるシステム。
【請求項６】
メッセージコンピュータを備え、前記ＡＣは、メッセージを前記コンピュータに送信するメッセージコンピュータに対して前記コンピュータを独自に識別する、請求項５に記載のシステム。
【請求項７】
前記コンピュータがメッセージコンピュータであり、前記ＡＣは、前記メッセージコンピュータにより提供されるメッセージサービスを独自に識別し、前記ＵＩＣは、メッセージが送信されるべきクライアントを識別する、請求項５に記載のシステム。
【請求項８】
前記アドレスは、ＡＣとＵＩＣとが重なり合うアドレスの部分に、２つの重なり合う文字組及び前記少なくとも１つの共通の文字が位置されるようにＡＣとＵＩＣとを組み合わせることにより形成される、請求項５〜７のいずれか一項に記載のシステム。
【請求項９】
情報を伝えるためのシステムで使用するための無線通信装置を提供するコンピュータであって、このコンピュータは、コンピュータを独自に識別するアクセスコード（ＡＣ）と固有識別コード（ＵＩＣ）とを組み合わせることにより形成されるコンピュータのアドレスを参照することによって前記無線通信装置により送信されるメッセージを受信するように動作可能であり、前記固有識別コードは、
（i）前記コンピュータによって行なわれる所定の動作と、
（ii）前記所定の動作の対象であるエンティティと、
を示し、
前記アドレスの少なくとも１つの文字は、前記ＡＣ及び前記ＵＩＣの両方に共通しており、前記アドレスは、前記少なくとも１つの共通の文字がアドレス内に統合されてアドレス内の文字数が前記ＡＣ及び前記ＵＩＣの文字の総数よりも少なくなるように配列され、前記メッセージがアドレスを含んでいるコンピュータ。
【請求項１０】
無線通信装置とメッセージサービスを提供するコンピュータとの間で情報を伝えるためのメッセージであって、このメッセージは、前記無線通信装置によって形成されるとともに、コンピュータを独自に識別するアクセスコード（ＡＣ）と固有識別コード（ＵＩＣ）とを組み合わせることにより形成されるコンピュータのアドレスを含み、前記固有識別コードは、
（i）前記コンピュータによって行なわれる所定の動作と、
（ii）前記所定の動作の対象であるエンティティと、
を示し、
前記アドレスの少なくとも１つの文字は、前記ＡＣ及び前記ＵＩＣの両方に共通しており、前記アドレスは、前記少なくとも１つの共通の文字がアドレス内に統合されてアドレス内の文字数が前記ＡＣ及び前記ＵＩＣの文字の総数よりも少なくなるように配列され、前記メッセージは、前記アドレスを参照することにより前記コンピュータに対してルート付けられるメッセージ。
【国際調査報告】
2006520555.tif 000008
2006520555.tif 000009